【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
回路と、
メモリとを備え、
前記回路は、前記メモリを用いて、
動きベクトルを導出する複数のモードから一つのモードを選択し、選択したモードで対象ブロックのための動きベクトルを導出し、
導出された前記動きベクトルを用いて、スキップモード、及び前記スキップモードとは異なる非スキップモードの一方により、前記対象ブロックをインター予測符号化し、
前記複数のモードは、差分動きベクトルをストリームに符号化することなく、対象ブロックの周辺の符号化済みブロックから前記対象ブロックの動きベクトルを予測する複数の第１モードを含み、
前記スキップモードでは、前記複数の第１モードに含まれる第２モードが用いられるか否かを示す情報をストリームに記述せず、前記複数の第１モードに含まれる、前記第２モードと異なる第３モードが用いられるか否かを示す情報を前記ストリームに記述して、
前記非スキップモードでは、前記第２モードが用いられるか否かを示す情報及び前記第３モードが用いられるか否かを示す情報を前記ストリームに記述して、
前記第２モードが用いられる場合、残差係数の有無に関わらず前記非スキップモードで前記対象ブロックを符号化する、
符号化装置。
【請求項２】
前記第２モードは、前記複数の第１モードの中で、値がゼロでない残差係数が発生する可能性が高いモードである、
請求項１に記載の符号化装置。
【請求項３】
回路と、
メモリとを備え、
前記回路は、前記メモリを用いて、
動きベクトルを導出する複数のモードから一つのモードを選択し、選択したモードで対象ブロックのための動きベクトルを導出し、
導出された前記動きベクトルを用いて、スキップモード、及び前記スキップモードとはことなる非スキップモードの一方により、前記対象ブロックをインター予測復号化し、
前記複数のモードは、差分動きベクトルをストリームから復号化することなく、対象ブロックの周辺の復号化済みブロックから前記対象ブロックの動きベクトルを予測する複数の第１モードを含み、
前記スキップモードでは、前記複数の第１モードに含まれる第２モードが用いられるか否かを示す情報をストリームから復号化せず、前記複数の第１モードに含まれる、前記第２モードと異なる第３モードが用いられるか否かを示す情報を前記ストリームから復号化して、
前記非スキップモードでは、前記第２モードが用いられるか否かを示す情報及び前記第３モードが用いられるか否かを示す情報を前記ストリームから復号化して、
前記第２モードが用いられる場合、残差係数の有無に関わらず前記非スキップモードで前記対象ブロックを復号化する、
復号装置。
【請求項４】
前記第２モードは、前記複数の第１モードの中で、値がゼロでない残差係数が発生する可能性が高いモードである、
請求項３に記載の復号装置。
【請求項５】
動きベクトルを導出する複数のモードから一つのモードを選択し、選択したモードで対象ブロックのための動きベクトルを導出し、
導出された前記動きベクトルを用いて、スキップモード、及び前記スキップモードとは異なる非スキップモードの一方により、前記対象ブロックをインター予測符号化し、
前記複数のモードは、差分動きベクトルをストリームに符号化することなく、対象ブロックの周辺の符号化済みブロックから前記対象ブロックの動きベクトルを予測する複数の第１モードを含み、
前記スキップモードでは、前記複数の第１モードに含まれる第２モードが用いられるか否かを示す情報をストリームに記述せず、前記複数の第１モードに含まれる、前記第２モードと異なる第３モードが用いられるか否かを示す情報を前記ストリームに記述して、
前記非スキップモードでは、前記第２モードが用いられるか否かを示す情報及び前記第３モードが用いられるか否かを示す情報を前記ストリームに記述して、
前記第２モードが用いられる場合、残差係数の有無に関わらず前記非スキップモードで前記対象ブロックを符号化する、
符号化方法。
【請求項６】
動きベクトルを導出する複数のモードから一つのモードを選択し、選択したモードで対象ブロックのための動きベクトルを導出し、
導出された前記動きベクトルを用いて、スキップモード、及び前記スキップモードとはことなる非スキップモードの一方により、前記対象ブロックをインター予測復号化し、
前記複数のモードは、差分動きベクトルをストリームから復号化することなく、対象ブロックの周辺の復号化済みブロックから前記対象ブロックの動きベクトルを予測する複数の第１モードを含み、
前記スキップモードでは、前記複数の第１モードに含まれる第２モードが用いられるか否かを示す情報をストリームから復号化せず、前記複数の第１モードに含まれる、前記第２モードと異なる第３モードが用いられるか否かを示す情報を前記ストリームから復号化して、
前記非スキップモードでは、前記第２モードが用いられるか否かを示す情報及び前記第３モードが用いられるか否かを示す情報を前記ストリームから復号化して、
前記第２モードが用いられる場合、残差係数の有無に関わらず前記非スキップモードで前記対象ブロックを復号化する、
復号方法。
【手続補正２】
【補正対象書類名】明細書
【補正対象項目名】０００６
【補正方法】変更
【補正の内容】
【０００６】
本開示の一態様に係る符号化装置は、回路と、メモリとを備え、前記回路は、前記メモリを用いて、動きベクトルを導出する複数のモードから一つのモードを選択し、選択したモードで対象ブロックのための動きベクトルを導出し、
導出された前記動きベクトルを用いて、スキップモード、及び前記スキップモードとは異なる非スキップモードの一方により、前記対象ブロックをインター予測符号化し、前記複数のモードは、差分動きベクトルをストリームに符号化することなく、対象ブロックの周辺の符号化済みブロックから前記対象ブロックの動きベクトルを予測する複数の第１モードを含み、前記スキップモードでは、前記複数の第１モードに含まれる第２モードが用いられるか否かを示す情報をストリームに記述せず、前記複数の第１モードに含まれる、前記第２モードと異なる第３モードが用いられるか否かを示す情報を前記ストリームに記述して、前記非スキップモードでは、前記第２モードが用いられるか否かを示す情報及び前記第３モードが用いられるか否かを示す情報を前記ストリームに記述して、前記第２モードが用いられる場合、残差係数の有無に関わらず前記非スキップモードで前記対象ブロックを符号化する。
【手続補正３】
【補正対象書類名】明細書
【補正対象項目名】０００７
【補正方法】変更
【補正の内容】
【０００７】
本開示の一態様に係る復号装置は、回路と、メモリとを備え、前記回路は、前記メモリを用いて、動きベクトルを導出する複数のモードから一つのモードを選択し、選択したモードで対象ブロックのための動きベクトルを導出し、導出された前記動きベクトルを用いて、スキップモード、及び前記スキップモードとはことなる非スキップモードの一方により、前記対象ブロックをインター予測復号化し、前記複数のモードは、差分動きベクトルをストリームから復号化することなく、対象ブロックの周辺の復号化済みブロックから前記対象ブロックの動きベクトルを予測する複数の第１モードを含み、前記スキップモードでは、前記複数の第１モードに含まれる第２モードが用いられるか否かを示す情報をストリームから復号化せず、前記複数の第１モードに含まれる、前記第２モードと異なる第３モードが用いられるか否かを示す情報を前記ストリームから復号化して、前記非スキップモードでは、前記第２モードが用いられるか否かを示す情報及び前記第３モードが用いられるか否かを示す情報を前記ストリームから復号化して、前記第２モードが用いられる場合、残差係数の有無に関わらず前記非スキップモードで前記対象ブロックを復号化する。